(57)【特許請求の範囲】
【請求項１】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号がネットワークを介して取得されたものであり、上記切替信号により当該表示装置の電源をオンにする場合、音量を第１の所定の音量レベル以下とした状態において、当該表示装置の電源をオンにすることを特徴とする表示装置。
【請求項２】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号の送信元のＩＰアドレスがグローバルのアドレスであり、上記切替信号により当該表示装置の電源をオンにする場合、音量を第１の所定の音量レベル以下とした状態において、当該表示装置の電源をオンにすることを特徴とする表示装置。
【請求項３】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号の送信元のＩＰアドレスが当該表示装置と異なるネットワークアドレスを含んでおり、上記切替信号により当該表示装置の電源をオンにする場合、音量を第１の所定の音量レベル以下とした状態において、当該表示装置の電源をオンにすることを特徴とする表示装置。
【請求項４】
上記電源がオンになった後、音量を第２の所定の音量レベルに上昇させたうえで、上記報知部が、音声によって上記宅外操作電源オン情報を報知することを特徴とする請求項１から３の何れか１項に記載の表示装置。
【請求項５】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号がネットワークを介して取得されたものであり、上記切替信号により当該表示装置の電源をオンにする場合、バックライトの明るさを第１の所定の明るさレベル以下とした状態において、当該表示装置の電源をオンにすることを特徴とする表示装置。
【請求項６】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号の送信元のＩＰアドレスがグローバルのアドレスであり、上記切替信号により当該表示装置の電源をオンにする場合、バックライトの明るさを第１の所定の明るさレベル以下とした状態において、当該表示装置の電源をオンにすることを特徴とする表示装置。
【請求項７】
当該表示装置の電源のオンオフを切り替える切替信号を取得する信号取得部と、
上記切替信号がネットワークを介して取得されたものであり、上記切替信号により当該表示装置の電源をオンにする場合、宅外からの操作によって当該表示装置の電源がオンになった旨の情報である宅外操作電源オン情報を報知する報知部と、
を備え、
上記切替信号の送信元のＩＰアドレスが当該表示装置と異なるネットワークアドレスを含んでおり、上記切替信号により当該表示装置の電源をオンにする場合、バックライトの明るさを第１の所定の明るさレベル以下とした状態において、当該表示装置の電源をオンにすることを特徴とする表示装置。
【請求項８】
上記電源がオンになった後、バックライトの明るさを第２の所定の明るさレベルに上昇させたうえで、上記報知部が、文字および画像の少なくとも何れかによって上記宅外操作電源オン情報を報知することを特徴とする請求項５から７の何れか１項に記載の表示装置。
【請求項９】
上記報知部は、文字、画像および音声の少なくとも何れかによって、上記宅外操作電源オン情報を報知する
ことを特徴とする請求項１から８の何れか１項に記載の表示装置。
【請求項１０】
常時、電源がオンになっており、上記取得した切替信号の送信元が宅外か宅内かを示す識別情報を記憶部に記憶させる制御部をさらに備え、
上記報知部は、上記取得した切替信号に応じて電源がオンになった場合であって、上記記憶された識別情報が宅外を示す場合に、上記宅外操作電源オン情報を報知する
ことを特徴とする請求項１から９の何れか１項に記載の表示装置。
【請求項１１】
上記宅外操作電源オン情報は、遠隔操作により電源が入ったことを示すものである
ことを特徴とする請求項１から１０の何れか１項に記載の表示装置。
【請求項１２】
請求項１から１１の何れか１項に記載の表示装置を備えている
ことを特徴とするテレビジョン受像機。
【請求項１３】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号がネットワークを介して取得されたものであり、上記切替信号により当該表示装置の電源をオンにする場合、音量を第１の所定の音量レベル以下とした状態において、当該表示装置の電源をオンにすることを特徴とする報知方法。
【請求項１４】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号の送信元のＩＰアドレスがグローバルのアドレスであり、上記切替信号により当該表示装置の電源をオンにする場合、音量を第１の所定の音量レベル以下とした状態において、当該表示装置の電源をオンにすることを特徴とする報知方法。
【請求項１５】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号の送信元のＩＰアドレスが当該表示装置と異なるネットワークアドレスを含んでおり、上記切替信号により当該表示装置の電源をオンにする場合、音量を第１の所定の音量レベル以下とした状態において、当該表示装置の電源をオンにすることを特徴とする報知方法。
【請求項１６】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号がネットワークを介して取得されたものであり、上記切替信号により当該表示装置の電源をオンにする場合、バックライトの明るさを第１の所定の明るさレベル以下とした状態において、当該表示装置の電源をオンにすることを特徴とする報知方法。
【請求項１７】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号の送信元のＩＰアドレスがグローバルのアドレスであり、上記切替信号により当該表示装置の電源をオンにする場合、バックライトの明るさを第１の所定の明るさレベル以下とした状態において、当該表示装置の電源をオンにすることを特徴とする報知方法。
【請求項１８】
表示装置を用いた報知方法であって、
上記表示装置の電源のオンオフを切り替える切替信号を取得する信号取得ステップと、
上記切替信号がネットワークを介して取得されたものであり、上記切替信号により当該表示装置の電源をオンにする場合、宅外からの操作によって上記表示装置の電源がオンになった旨の情報である宅外操作電源オン情報を報知する報知ステップと、
を含んでおり、
上記切替信号の送信元のＩＰアドレスが当該表示装置と異なるネットワークアドレスを含んでおり、上記切替信号により当該表示装置の電源をオンにする場合、バックライトの明るさを第１の所定の明るさレベル以下とした状態において、当該表示装置の電源をオンにすることを特徴とする報知方法。
【請求項１９】
請求項１３から１８の何れか１項に記載の報知方法をコンピュータに実行させるためのプログラム。
【請求項２０】
請求項１９に記載のプログラムを記録したコンピュータ読み取り可能な記録媒体。
【発明の詳細な説明】
【技術分野】
【０００１】
本発明は、宅外から操作可能な表示装置、テレビジョン受像機、および、報知方法に関する。
【背景技術】
【０００２】
近年、スマートフォン等の携帯情報端末を用いて、宅内の電気機器を宅外から操作することのできる技術が開発されている。
【０００３】
例えば、特許文献１には、宅内において、リモコンの代わりに、スマートフォンに表示されるＧＵＩ（Graphical User Interface）上の電源ボタンでテレビの電源をオンしたり、チャンネルボタンでチャンネルを切り替えたりする技術が開示されている。
【先行技術文献】
【特許文献】
【０００４】
【特許文献１】特開２０１３−１７９５８８号公報（２０１３年９月９日公開）
【発明の概要】
【発明が解決しようとする課題】
【０００５】
上記の技術を用いれば、原理的には、宅外からスマートフォンで自宅のテレビの電源をオンし、チャンネルを切り替えることも可能になると考えられる。これにより、外出中にたまたま興味深いテレビ番組を目にして家族に見せたくなった場合、すぐに自宅のテレビの電源を遠隔操作でオンし、その後に連絡することで、当該テレビ番組を家族に見せることが可能になる。
【０００６】
しかしながら、自宅のテレビが宅外からの操作により突然オンになると、テレビのそばにいる人は、大変驚いてしまったり、自分が操作していないのにテレビの電源が急にオンになったことに対して、テレビの故障や地震の発生などと勘違いしたりするおそれがあり、宅内の人の混乱を招く可能性があるという問題がある。
【０００７】
本発明は、上記課題に鑑みてなされたものであり、その目的は、宅外からの操作で表示装置の電源がオンしたことを宅内の人に報知する技術を提供することにある。
【課題を解決するための手段】
【０００８】
上記課題を解決するために、本発明の一態様に係る表示装置は、当該表示装置の電源のオンオフを切り替える切替信号を取得する信号取得部と、上記切替信号がインターネットを介して取得されたものであり、上記切替信号により当該表示装置の電源をオンにする場合、宅外からの操作によって当該表示装置の電源がオンになった旨の情報である宅外操作電源オン情報を報知する報知部と、を備えている。
【０００９】
また、本発明の一態様に係る報知方法は、表示装置を用いた報知方法であって、上記表示装置の電源のオンオフを切り替える切替信号を取得する信号取得ステップと、上記切替信号がインターネットを介して取得されたものであり、上記切替信号により当該表示装置の電源をオンにする場合、宅外からの操作によって上記表示装置の電源がオンになった旨の情報である宅外操作電源オン情報を報知する報知ステップと、を含んでいる。
【発明の効果】
【００１０】
本発明の一態様によれば、宅外からの操作で表示装置の電源がオンしたことを宅内の人に報知することができるという効果を奏する。
【図面の簡単な説明】
【００１１】
【図１】実施形態１に係るテレビおよびその周辺の構成を示す図である。
【図２】実施形態１に係るテレビのブロック構成を示す図である。
【図３】実施形態１に係るサブ制御部の、リモコン電源キー受け付けタスクの処理を示すフローチャートである。
【図４】実施形態１に係るサブ制御部の、スマートフォンのリモコンアプリに表示された電源ボタン受け付けタスクの処理を示すフローチャートである。
【図５】実施形態１に係るサブ制御部の、制御通電部からの電源オフ要求受け付けタスクの処理を示すフローチャートである。
【図６】実施形態１に係るメイン制御部の、電源関連の処理用タスクの処理を示すフローチャートである。
【図７】実施形態２に係るテレビの電源オンが宅外からの操作によるものである旨を報知する方法の例を示す図であり、（ａ）は画面に通知を表示する方法を示し、（ｂ）は音声によって提示する方法を示す。
【図８】実施形態３に係るテレビ１およびその周辺の構成を示す図である。
【図９】実施形態４に係るテレビ１ａの構成例を示す図である。
【発明を実施するための形態】
【００１２】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１３】
〈システムの構成と概要〉
まず、本発明の実施形態１に係るテレビジョン受像機（以下、単に「テレビ」と呼ぶ）およびその周辺の構成について、図１を参照して説明する。図１は、本実施形態に係るテレビ（表示装置）１およびその周辺の構成を示す図である。図１に示すように、テレビ１と、スマートフォン２とは、家庭内のローカルネットワークであるＬＡＮ５、および、グローバルネットワークであるインターネット６を介して通信可能に構成される。ＬＡＮ５と、インターネット６との間には、ゲートウェイサーバ７が介在する。
【００１４】
テレビ１は、電源オンが宅外のスマートフォン２からの操作によるものである場合に、その旨を宅内の人に報知する。具体的には、テレビ１は、電源のオンオフを切り替える操作信号（切替信号）がインターネット６経由であり、その操作信号によりテレビ１の電源をオンにする場合に、電源オンが宅外からの操作によるものである旨を宅内の人に報知する。リモコン３は、宅内で近距離からテレビ１を操作するための機器であり、テレビ１の電源をオンにすることが可能である。
【００１５】
〈テレビジョン受像機の構成〉
次に、本発明の実施形態１に係るテレビ１のブロック構成について、図２を参照して説明する。図２は、本発明の実施形態１に係るテレビ１のブロック構成を示す図である。図２に示すように、テレビ１は、常時通電部１１、制御通電部１２、および、電源制御部１３を備える。
【００１６】
常時通電部１１は、常時電源が供給される部分であり、通信部１１１、サブ制御部１１２、リモコン受光部１１３、記憶部１１４、および、電源ＬＥＤ１１５を備える。通信部（信号取得部）１１１は、スマートフォン２との間でネットワーク（ＬＡＮ５およびインターネット６）を介して通信を行う部分であり、スマートフォン２から受信したデータをサブ制御部１１２、または、制御通電部１２のメイン制御部１２１に出力し、サブ制御部１１２またはメイン制御部１２１から取得したデータをスマートフォン２に送信する。上記ネットワークは、公衆回線利用を含む通信回線であり、インターネット６を含む。
【００１７】
サブ制御部（制御部）１１２は、常時通電部１１全体を制御する部分であり、通信部１１１を介してスマートフォン２とデータの送受信を行い、リモコン受光部１１３を介してリモコン３からのデータを受信するとともに、受信したデータに応じて、電源制御部１３に指示を行う。そして、必要に応じて、記憶部１１４とデータの入出力を行い、メイン制御部１２１とデータの送受信を行う。特に、サブ制御部１１２は、テレビ１の電源がオフの状態において、通信部１１１がスマートフォン２のリモコンアプリに表示された電源ボタンの操作信号を受信するか、または、リモコン受光部１１３がリモコン３の電源キーの操作信号を受信した場合に、制御通電部１２の電源をオンにした後で、電源に関する操作信号が通信部１１１経由か、リモコン受光部１１３経由かを示す識別情報を記憶部１１４に記憶させる。なお、識別情報は、宅外からの操作によってテレビ１の電源がオンになったか否かを示す情報であってもよい。
【００１８】
リモコン受光部（信号取得部）１１３は、リモコン３から光信号を受信し、その光信号をデータに変換し、そのデータをサブ制御部１１２に出力する。記憶部１１４は、サブ制御部１１２からのデータを記憶し、記憶したデータをサブ制御部１１２に受け渡す。電源ＬＥＤ１１５は、テレビ１の電源状態を示すものであり、テレビ１の電源がオンの場合に緑色に点灯し、テレビ１の電源がオフの場合に赤色に点灯する。
【００１９】
制御通電部１２は、常時通電部１１の制御に応じて電源がオンまたはオフになる部分であり、メイン制御部１２１、表示部１２２、音声出力部１２３、アンテナ１２４、チューナ１２５、復調部１２６、ＣＡＳ（Conditional Access System）カード１２７、および、ＣＡＳカードスロット１２８を備える。
【００２０】
メイン制御部１２１は、制御通電部１２全体を制御する部分であり、常時通電部１１の通信部１１１およびサブ制御部１１２との間でデータの送受信を行うとともに、表示部１２２に指示してデータを表示させる。特に、メイン制御部１２１は、制御通電部１２の電源がオンした後に、電源オンの操作元を示す識別情報をサブ制御部１１２から取得し、その操作元が宅外に位置する場合に、外部からの操作によって電源オンした旨を示す宅外操作電源オン情報を表示部１２２に表示させる。
【００２１】
表示部（報知部）１２２は、サブ制御部１１２の指示に従ってデータを表示する。音声出力部（報知部）１２３は、サブ制御部１１２の指示に従ってデータを音声出力する。
【００２２】
アンテナ１２４は、放送波を受信し、当該放送波の信号をチューナ１２５に出力する。チューナ１２５は、アンテナ１２４から所定周波数の放送信号を取得して復調部１２６に出力する。復調部１２６は、チューナ１２５から放送信号を取得し、変調された信号を元の信号に復元し、メイン制御部１２１に出力する。ＣＡＳカード１２７は、有料放送を視聴する場合などに必要なカードである。ＣＡＳカードスロット１２８は、ＣＡＳカードを接続する部分である。
【００２３】
電源制御部１３は、コンセント４からの電源を常時通電部１１に常時供給するとともに、常時通電部１１からの指示に応じて制御通電部１２への電源供給をオンまたはオフにする。
【００２４】
〈処理の概要〉
スマートフォン２およびリモコン３の操作により、テレビ１の電源をオンまたはオフにする処理の概要について、図２を参照して説明する。
【００２５】
まず、テレビ１の電源がオンの状態では、電源制御部１３から制御通電部１２に電源が供給されている。その状態で、リモコン３の電源キーが押されると、その旨を示す操作信号が、リモコン３から発信され、テレビ１のリモコン受光部１１３およびサブ制御部１１２を経由して、メイン制御部１２１に受信される。
【００２６】
メイン制御部１２１は、上記操作信号を受信すると、テレビ１の電源がオンの状態でリモコン３の電源キーが押された場合、当該操作信号は電源オフの指示を示すので、サブ制御部１１２に対して制御通電部１２の電源オフを指示する。サブ制御部１１２は、メイン制御部１２１からの指示を受けて、電源制御部１３に対して制御通電部１２の電源オフを指示する。電源制御部１３は、サブ制御部１１２からの指示を受けて、制御通電部１２に対する電源供給をオフにする。これにより、制御通電部１２は電源オフになる。
【００２７】
次に、テレビ１の電源がオフの状態で、スマートフォン２のリモコンアプリに表示された電源ボタンが押されると、その旨を示す操作信号が、スマートフォン２から発信され、テレビ１の通信部１１１を経由して、サブ制御部１１２に受信される。サブ制御部１１２は、上記操作信号を受信すると、テレビ１の電源がオフの状態で、スマートフォン２のリモコンアプリに表示された電源ボタンが押された場合、当該操作信号は電源オンの指示を示すので、電源制御部１３に対して制御通電部１２の電源オンを指示する。そして、通信部１１１経由の電源オンであることを示す識別情報を記憶部１１４に記憶させる。電源制御部１３は、サブ制御部１１２からの指示を受けて、制御通電部１２に対する電源供給をオンにする。これにより、制御通電部１２の電源がオンになり、テレビ１の電源がオンの状態になる。なお、テレビ１の電源をオンにすることは、具体的には、制御通電部１２に対する電源供給をオンにすることである。
【００２８】
制御通電部１２の電源がオンになると、メイン制御部１２１は、電源オンの操作元を確認するために、サブ制御部１１２に指示して、記憶部１１４に記憶された識別情報を取得する。そして、その識別情報が通信部１１１経由の電源オンであることを示す場合に、宅外からの操作により電源オンした旨を表示部１２２に表示させる。表示部１２２が上記の旨を表示することにより、宅内の人は、テレビ１が宅外からの操作により電源オンしたことを認識することができる。
【００２９】
〈テレビの電源の状態〉
テレビの電源には、３つの状態がある。第１の状態として、テレビ１の電源がオンであり、制御通電部１２の電源がオンの状態があり、この状態では、電源ＬＥＤが緑色になり、テレビ視聴などのために電源オンの操作が行われた結果である。第２の状態として、テレビ１の電源がオフであり、制御通電部１２の電源がオンの状態があり、この状態では、電源ＬＥＤが赤色になり、電源オフへの移行動作中であり、ＣＡＳカードの通電制御などが行われる。第３の状態として、テレビ１の電源がオフであり、制御通電部１２の電源がオフの状態があり、この状態では、電源ＬＥＤが赤色になり、電源オフが完了している。
【００３０】
〈システムの処理〉
続いて、本発明の実施形態１に係るテレビ１のサブ制御部１１２の処理について、図３〜５を参照して説明する。図３は、本発明の実施形態１に係るサブ制御部１１２の、リモコン電源キー受け付けタスクの処理を示すフローチャートである。
【００３１】
図３に示すように、まず、サブ制御部１１２は、リモコン３の電源キーを押し下げるイベントが発生したか否かを判定する（Ｓ３０１）。詳細には、リモコン受光部１１３から電源キーの操作信号を取得したか否かを判定する。上記イベントが発生していない場合には（Ｓ３０１のＮＯ）、Ｓ３０１の判定を繰り返す。なお、イベント発生の判定を繰り返すポーリング処理ではなく、上記イベントに対応する割り込み処理において、Ｓ３０２以下の処理を行ってもよい。
【００３２】
上記イベントが発生している場合に（Ｓ３０１のＹＥＳ）、サブ制御部１１２は、制御通電部１２の電源がオンか否かを判定する（Ｓ３０２）。この判定は、サブ制御部１１２が、制御通電部１２の電源制御の履歴を記憶部１１４に記憶しておき、当該履歴を参照することにより行う。他の判定方法として、サブ制御部１１２が、メイン制御部１２１との通信が可能か否かを確認することにより行ってもよい。
【００３３】
制御通電部１２の電源がオンである場合に（Ｓ３０２のＹＥＳ）、サブ制御部１１２は、テレビ１の電源がオンか否かを判定する（Ｓ３０３）。この判定は、ユーザから見たときの、テレビ１のオン、オフを確認するものであり、サブ制御部１１２が、テレビ１の電源状態を記憶部１１４に記憶しておき、当該状態を参照することにより行う。他の判定方法として、サブ制御部１１２が、電源ＬＥＤの点灯色が緑色か否かを確認することにより行ってもよい。
【００３４】
テレビ１の電源がオンである場合に（Ｓ３０３のＹＥＳ）、サブ制御部１１２は、電源ＬＥＤを赤色に点灯させる（Ｓ３０４）とともに、メイン制御部１２１に対して電源オフを通知する（Ｓ３０５）。その後、Ｓ３０１の判定に戻る。
【００３５】
Ｓ３０２において制御通電部１２の電源がオンでない（オフである）場合に（Ｓ３０２のＮＯ）、サブ制御部１１２は、電源ＬＥＤを緑色に点灯させる（Ｓ３０６）とともに、リモコン受光部１１３経由の操作信号による電源オンであることを示す識別情報を記憶部１１４に記憶させる（Ｓ３０７）。そして、制御通電部１２の電源をオンにする指示を電源制御部１３に対して行う（Ｓ３０８）。その後、Ｓ３０１の判定に戻る。
【００３６】
Ｓ３０３において、テレビ１の電源がオンでない（オフである）場合に（Ｓ３０３のＮＯ）、サブ制御部１１２は、電源ＬＥＤを緑色に点灯させる（Ｓ３０９）とともに、リモコン受光部１１３経由の操作信号による電源オンであることを示す識別情報を記憶部１１４に記憶させる（Ｓ３１０）。そして、メイン制御部１２１に対して電源オンを通知する（Ｓ３１１）。その後、Ｓ３０１の判定に戻る。
【００３７】
図４は、本発明の実施形態１に係るサブ制御部１１２の、スマートフォン２のリモコンアプリに表示された電源ボタン受け付けタスクの処理を示すフローチャートである。
【００３８】
図４に示すように、まず、サブ制御部１１２は、スマートフォン２のリモコンアプリに表示された電源ボタンを押し下げるイベントが発生したか否かを判定する（Ｓ４０１）。詳細には、通信部１１１から電源ボタンの操作信号を取得したか否かを判定する。上記イベントが発生していない場合には（Ｓ４０１のＮＯ）、Ｓ４０１の判定を繰り返す。なお、イベント発生の判定を繰り返すポーリング処理ではなく、上記イベントに対応する割り込み処理において、Ｓ４０２以下の処理を行ってもよい。
【００３９】
上記イベントが発生している場合に（Ｓ４０１のＹＥＳ）、サブ制御部１１２は、制御通電部１２の電源がオンか否かを判定する（Ｓ４０２）。制御通電部１２の電源がオンである場合に（Ｓ４０２のＹＥＳ）、サブ制御部１１２は、テレビ１の電源がオンか否かを判定する（Ｓ４０３）。テレビ１の電源がオンである場合に（Ｓ４０３のＹＥＳ）、サブ制御部１１２は、電源ＬＥＤを赤色に点灯させる（Ｓ４０４）とともに、メイン制御部１２１に対して電源オフを通知する（Ｓ４０５）。その後、Ｓ４０１の判定に戻る。
【００４０】
Ｓ４０２において制御通電部１２の電源がオンでない（オフである）場合に（Ｓ４０２のＮＯ）、サブ制御部１１２は、電源ＬＥＤを緑色に点灯させる（Ｓ４０６）とともに、通信部１１１経由の操作信号による電源オンであることを示す識別情報を記憶部１１４に記憶させる（Ｓ４０７）。そして、制御通電部１２の電源をオンにする指示を電源制御部１３に対して行う（Ｓ４０８）。その後、Ｓ４０１の判定に戻る。
【００４１】
Ｓ４０３において、テレビ１の電源がオンでない（オフである）場合に（Ｓ４０３のＮＯ）、サブ制御部１１２は、電源ＬＥＤを緑色に点灯させる（Ｓ４０９）とともに、通信部１１１経由の操作信号による電源オンであることを示す識別情報を記憶部１１４に記憶させる（Ｓ４１０）。そして、メイン制御部１２１に対して電源オンを通知する（Ｓ４１１）。その後、Ｓ４０１の判定に戻る。
【００４２】
図５は、本発明の実施形態１に係るサブ制御部１１２の、メイン制御部１２１からの制御通電部１２の電源オフ要求受け付けタスクの処理を示すフローチャートである。
【００４３】
図５に示すように、まず、サブ制御部１１２は、メイン制御部１２１から制御通電部１２の電源オフ要求を受信したか否かを判定する（Ｓ５０１）。上記電源オフ要求を受信していない場合には（Ｓ５０１のＮＯ）、Ｓ５０１の判定を繰り返す。なお、電源オフ要求受信の判定を繰り返すポーリング処理ではなく、上記電源オフ要求受信に対応する割り込み処理において、Ｓ５０２の処理を行ってもよい。
【００４４】
上記電源オフ要求を受信した場合に（Ｓ５０１のＹＥＳ）、サブ制御部１１２は、制御通電部１２の電源をオフにする指示を電源制御部１３に対して行う（Ｓ５０２）。電源制御部１３は、その指示に従って、制御通電部１２への電源供給をオフにする。これにより、制御通電部１２の電源がオフになる。
【００４５】
さらに、本発明の実施形態１に係るテレビ１のメイン制御部１２１の処理について、図６を参照して説明する。図６は、本発明の実施形態１に係るメイン制御部１２１の、電源関連の処理用タスクの処理を示すフローチャートである。本タスクは、制御通電部１２の電源がオンになり、メイン制御部１２１が起動されたときに、生成される。
【００４６】
図６に示すように、まず、メイン制御部１２１は、制御通電部１２の電源オン時の各種処理を実行する（Ｓ６０１）。次に、テレビ１の電源オン時の各種処理を実行する（Ｓ６０２）。そして、テレビ１の電源オンに関する識別情報をサブ制御部１１２から取得し（Ｓ６０３）、当該識別情報はテレビ１の電源オンの操作信号が通信部１１１経由を示すか否かを判定する（Ｓ６０４）。
【００４７】
上記操作信号が通信部１１１経由である場合に（Ｓ６０４のＹＥＳ）、メイン制御部１２１は、テレビ１が遠隔操作で電源オンされた旨を示す宅外操作電源オン情報を、表示部１２２に所定時間表示させる（Ｓ６０５）。すなわち、宅外からテレビ１の電源をオンした場合、宅内のテレビ１上に外部からの操作によって電源オンした旨の通知が表示される。上記操作信号が通信部１１１経由でない場合には（Ｓ６０４のＮＯ）、Ｓ６０５の処理をスキップする。
【００４８】
続いて、メイン制御部１２１は、サブ制御部１１２からテレビ１の電源オフ通知を受信したか否かを判定する（Ｓ６０６）。上記電源オフ通知を受信していない場合には（Ｓ６０６のＮＯ）、Ｓ６０６の判定を繰り返す。なお、電源オフ通知受信の判定を繰り返すポーリング処理ではなく、上記電源オフ通知受信に対応する割り込み処理において、Ｓ６０７以降の処理を行ってもよい。
【００４９】
上記電源オフ通知を受信した場合に（Ｓ６０６のＹＥＳ）、メイン制御部１２１は、テレビ１の電源オフ時の各種処理を実行し（Ｓ６０７）、ＣＡＳカードの通電制御を開始する（Ｓ６０８）。そして、サブ制御部１１２からの電源オン通知を受信したか否かを判定する（Ｓ６０９）。上記電源オン通知を受信した場合には（Ｓ６０９のＹＥＳ）、テレビ１の電源オン時の各種処理を実行する（Ｓ６０２）。
【００５０】
上記電源オン通知を受信していない場合に（Ｓ６０９のＮＯ）、メイン制御部１２１は、ＣＡＳカードの通電制御が終了したか否かを判定する（Ｓ６１０）。上記通電制御が終了していない場合には（Ｓ６１０のＮＯ）、サブ制御部１１２からの電源オン通知を受信したか否かを判定する（Ｓ６０９）。
【００５１】
上記通電制御が終了した場合に（Ｓ６１０のＹＥＳ）、メイン制御部１２１は、制御通電部１２の電源オフ時の各種処理を実行し（Ｓ６１１）、制御通電部１２の電源オフ要求をサブ制御部１１２に対して行う（Ｓ６１２）。その後、本タスクは終了する。
【００５２】
〔実施形態２〕
次に、本発明の実施形態２に係るテレビ１が電源オンになったときの動作の実施例について、図７を参照して説明する。図７は、テレビ１の電源オンが宅外からの操作によるものである旨を報知する方法の例を示す図である。図７（ａ）は、画面に通知を表示する方法を示す。図７（ａ）に示すように、テレビ１の画面全体が妨げられないように、画面の右下に「遠隔操作によって電源が入りました」という文字が表示されている。この文字は、電源オンの時から所定時間だけ表示される。また、この文字は、遠隔操作により電源が入ったことを示すものであればよく、同じ内容であれば、他の表現であってもよい。
【００５３】
なお、必ずしも文字を表示する必要はなく、他の画像を表示してもよい。例えば、予めテレビ１の製品マニュアル（取扱説明書など）に、特定のマークやアイコンなどの画像と、当該画像が表示されたときに報知すべき事項（すなわち、遠隔操作によって電源が入ったこと）とを対応付けて掲載しておき、テレビ１は、電源オンが宅外からの操作によるものである場合に、「遠隔操作によって電源が入ったこと」に対応付けられた上記特定のマークやアイコンなどの画像を表示するようにしてもよい。
【００５４】
図７（ｂ）は、音声によって提示する方法を示す。図７（ｂ）に示すように、テレビ１の音声出力部１２３（図２参照）から「遠隔操作によって電源が入りました」という音声が発せられる。この音声は、電源オンの時から所定時間内に１回のみ発せられる構成としてもよいし、所定時間内に複数回発せられる構成としてもよい。また、この音声は、遠隔操作により電源が入ったことを示すものであればよく、同じ内容であれば、他の表現であってもよい。
【００５５】
文字、画像および音声のデータは、制御通電部１２の記憶部（図示せず）に予め記憶されており、メイン制御部１２１は、文字、画像および音声の少なくとも何れかを用いて報知する。なお、文字および音声の場合に、上記と異なる内容であってもよく、例えば、「外部からの操作により電源がオンになりました」という内容を報知してもよい。
【００５６】
上記以外にも、以下のような実施形態がある。メイン制御部１２１は、電源オンに関する識別情報をサブ制御部１１２から取得し、当該識別情報は電源オンの操作信号が通信部１１１経由であることを示す場合に、音声出力部１２３の音量がかなり小さい状態で（音量を第１の所定の音量レベル以下とした状態において）テレビ１の電源をオンにしてもよい。これにより、テレビ１から急に大きな音声が出力されることがなくなるので、宅内にいる人が混乱せずに済む。その後、メイン制御部１２１は、徐々に所定の音量レベルに上昇させてから、すなわち、徐々に宅内の人が認識できる音量レベルに上げてから、音声出力部１２３から電源オンの操作元が宅外にある旨を示す音声を発するようにしてもよい。
【００５７】
このような構成とすることにより、宅内の人を驚かせることなく電源をオンにしたうえで、電源オンの操作元が宅外にある旨を当該宅内の人にはっきりと認識させることができる。
【００５８】
また、メイン制御部１２１は、上記識別情報は電源オンの操作信号が通信部１１１経由であることを示す場合に、表示部１２２のバックライトがかなり暗い状態で（バックライトの明るさを第１の所定の明るさレベル以下とした状態において）テレビ１の電源をオンにしてもよい。これにより、テレビ１の画面が急に明るくなることがなくなるので、宅内にいる人が混乱せずに済む。その後、メイン制御部１２１は、徐々に所定の明るさレベルに上昇させてから、すなわち、徐々に宅内の人が認識できる明るさレベルに上げてから、電源オンの操作元が宅外にある旨を示す文字または画像を表示部１２２に表示させるようにしてもよい。
【００５９】
このような構成とすることにより、宅内の人を驚かせることなく電源をオンにしたうえで、電源オンの操作元が宅外にある旨を当該宅内の人にはっきりと認識させることができる。
【００６０】
なお、上述した処理は互いに組み合わせて用いてもよい。
【００６１】
〔実施形態３〕
実施形態３として、スマートフォン２は、宅外からインターネット６経由でテレビ１の電源をオンにすることが可能であるが、宅内で無線ＬＡＮ（例えば、ＷｉＦｉ（登録商標））経由でテレビ１の電源をオンにすることも可能である。そこで、電源に関する操作信号が通信部１１１経由で受信し、かつ、インターネット６経由である場合に、サブ制御部１１２は、操作信号の送信元が宅外にあると判定し、その旨を示す識別情報を記憶部１１４に記憶させる。一方、電源に関する操作信号が通信部１１１経由で受信し、かつ、ＷｉＦｉ（登録商標）経由である場合に、サブ制御部１１２は、操作信号の送信元が宅内にあると判定し、その旨を示す識別情報を記憶部１１４に記憶させる。なお、ＷｉＦｉ（登録商標）に限らず、他の宅内通信方式を用いてもよい。また、操作信号がインターネット６経由か、ＷｉＦｉ（登録商標）経由であるか否かは、当該操作信号に含まれるＩＰアドレスなどにより判定する。
【００６２】
以下、操作信号がインターネットを介して取得したものか否かを判定する方法について説明する。
（１）スマートフォン２のＩＰアドレスを用いる方法その１
サブ制御部１１２は、スマートフォン２に割り当てられたＩＰアドレスがＬＡＮで用いるローカルのアドレス（例、192.168.xxx.yyy）の場合には、インターネットを介していないと判定する。一方、スマートフォン２に割り当てられたＩＰアドレスがグローバルのアドレスの場合には、インターネットを介していると判定する。
（２）スマートフォン２のＩＰアドレスを用いる方法その２
サブ制御部１１２は、スマートフォン２に割り当てられたＩＰアドレスがテレビ１と同じネットワークアドレスを含む場合には、インターネットを介していないと判定する。一方、スマートフォン２に割り当てられたＩＰアドレスがテレビ１と異なるネットワークアドレスを含む場合には、インターネットを介していると判定する。
（３）通信方法を用いて判別する方法
サブ制御部１１２は、スマートフォン２からの操作信号をインターネット経由で受信する場合と、そうでない場合とに応じて通信方法を変えることにより、操作信号がインターネットを介して取得したものか否か判別する。
（３−１）インターネットを介さない場合
テレビ１は、同一ネットワークの所定のポートＡに対してブロードキャストを行う。スマートフォン２上のリモコンアプリは、これを受けて、ブロードキャストしているテレビ１の一覧を表示する。ユーザは、その一覧からテレビ１を選択して操作する。上記によれば、スマートフォン２は、ブロードキャストの内容およびユーザの選択によりテレビ１のアドレスが判別できるので、スマートフォン２とテレビ１とが互いに通信できるようになる。サブ制御部１１２は、同一ネットワークからの通信の場合には、操作信号がインターネットを介していないと判別する。
（３−２）インターネットを介する場合
インターネットを介する場合について、図８を参照して説明する。図８は、本実施形態に係るテレビ１およびその周辺の構成を示す図である。
【００６３】
図８に示すように、インターネット６上にリモコンサービス用のサーバ８を設置する（テレビメーカなどによる）。ユーザは、アカウントを作成し、テレビ１のメニュー、および、スマートフォン２上のリモコンアプリのメニューにてアカウント情報を入力しておく。テレビ１と（スマートフォン２上の）リモコンアプリは、アカウント情報を用いてサーバ８にアクセスする。これにより、スマートフォン２とテレビ１とがサーバ８を介して互いに通信できるようになり、テレビ１の操作ができるようになる。サブ制御部１１２は、サーバ８を介した通信を行っている場合には、操作信号がインターネットを介していると判別する。
【００６４】
〔実施形態４〕
実施形態４に係るテレビ１ａの構成例について、図９を参照して説明する。図９は、本実施形態に係るテレビ１ａの構成例を示す図である。主として、図１のテレビ１の構成と異なる点について説明する。
【００６５】
図９に示すように、コンセント４は、常時通電部１１ａに接続されるとともに、電源制御部１３を介して制御通電部１２ａに接続される。電源制御部１３は、スイッチ１３１、トランス１３２、および、電源安定化部１３３を備える。スイッチ１３１は、サブ制御部１１２から指示を受けて、コンセント４からの電源供給をトランス１３２に対して行うか否かを切り替える。トランス１３２は、スイッチ１３１から供給された電源電圧を変圧して、電源安定化部１３３に供給する。電源安定化部１３３は、トランス１３２から供給された電源電圧を安定化して、制御通電部１２ａに供給する。そして、リモコン受光部１２９は、制御通電部１２ａに備わる。
【００６６】
上記によれば、電源制御部１３において、スイッチ１３１がトランス１３２の１次側に接続されているので、テレビ１の電源制御における電源の切断または投入は、トランス１３２の１次側で行われることになる。また、上記の構成においても、サブ制御部１１２が、電源に関する操作信号が通信部１１１経由であることを示す識別情報を記憶する。このため、宅外の操作によるテレビ１の電源オンの場合には、メイン制御部１２１により、宅外の操作による電源オンである旨の情報を表示部１２２および音声出力部１２３から出力させることができる。
【００６７】
〔ソフトウェアによる実現例〕
図２に示すテレビ１のサブ制御部１１２およびメイン制御部１２１は、集積回路（ＩＣチップ）等に形成された論理回路（ハードウェア）によって実現してもよいし、ＣＰＵ（Central Processing Unit）を用いてソフトウェアによって実現してもよい。
【００６８】
後者の場合、サブ制御部１１２およびメイン制御部１２１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６９】
〔まとめ〕
本発明の態様１に係る表示装置（テレビ１）は、当該表示装置の電源のオンオフを切り替える切替信号を取得する信号取得部（通信部１１１、リモコン受光部１１３）と、上記切替信号がインターネットを介して取得されたものであり、上記切替信号により当該表示装置の電源をオンにする場合、宅外からの操作によって当該表示装置の電源がオンになった旨の情報である宅外操作電源オン情報を報知する報知部（表示部１２２、音声出力部１２３）と、を備えている。
【００７０】
上記の構成によれば、表示装置において、当該表示装置の電源のオンオフを切り替える切替信号を取得し、当該切替信号がインターネットを介して取得されたものであり、当該切替信号により当該表示装置の電源をオンにする場合、宅外からの操作によって当該表示装置の電源がオンになった旨を報知する。よって、宅外からの操作で表示装置の電源がオンしたことを宅内の人に報知することができる。
【００７１】
本発明の態様２に係る表示装置は、上記態様１において、上記報知部が、文字、画像および音声の少なくとも何れかによって、上記宅外操作電源オン情報を報知することとしてもよい。
【００７２】
本発明の態様３に係る表示装置は、上記態様１および２において、上記切替信号がインターネットを介して取得されたものであり、上記切替信号により当該表示装置の電源をオンにする場合、音量を第１の所定の音量レベル以下とした状態において、当該表示装置の電源をオンにすることとしてもよい。
【００７３】
上記の構成によれば、表示装置において、切替信号がインターネットを介して取得されたものであり、切替信号により表示装置の電源をオンにする場合に、音量を第１の所定の音量レベル以下とした状態で電源をオンにする。よって、急に大きい音声を発することがないので、宅内の人を混乱させずに宅外操作電源オン情報を報知することができる。
【００７４】
本発明の態様４に係る表示装置は、上記態様３において、上記電源がオンになった後、音量を第２の所定の音量レベルに上昇させたうえで、上記報知部が、音声によって上記宅外操作電源オン情報を報知することとしてもよい。
【００７５】
本発明の態様５に係る表示装置は、上記態様１から４において、上記切替信号がインターネットを介して取得されたものであり、上記切替信号により当該表示装置の電源をオンにする場合、バックライトの明るさを第１の所定の明るさレベル以下とした状態において、当該表示装置の電源をオンにすることとしてもよい。
【００７６】
上記の構成によれば、表示装置において、切替信号がインターネットを介して取得されたものであり、切替信号により表示装置の電源をオンにする場合に、バックライトの明るさを第１の所定の明るさレベル以下とした状態で電源をオンにする。よって、急にディスプレイが明るくなることがないので、宅内の人を混乱させずに宅外操作電源オン情報を報知することができる。
【００７７】
本発明の態様６に係る表示装置は、上記態様５において、上記電源がオンになった後、バックライトの明るさを第２の所定の明るさレベルに上昇させたうえで、上記報知部が、文字および画像の少なくとも何れかによって上記宅外操作電源オン情報を報知することとしてもよい。
【００７８】
本発明の態様７に係る表示装置は、上記態様１から６において、常時、電源がオンになっており、上記取得した切替信号の送信元が宅外か宅内かを示す識別情報を記憶部に記憶させる制御部をさらに備え、上記報知部が、上記取得した切替信号に応じて電源がオンになった場合であって、上記記憶された識別情報が宅外を示す場合に、上記宅外操作電源オン情報を報知することとしてもよい。
【００７９】
上記の構成によれば、表示装置において、常時、電源がオンになっており、取得した切替信号の送信元が宅外か宅内かを示す識別情報を記憶部に記憶させる制御部をさらに備え、報知部が、取得した切替信号に応じて電源がオンになった場合であって、記憶された識別情報が宅外を示す場合に、宅外操作電源オン情報を報知する。よって、常時電源がオンになっている部分に記憶された識別情報を介することによって、後に電源オンになった報知部が、宅外からの操作で表示装置の電源がオンしたことを報知する制御が可能になる。
【００８０】
本発明の態様８に係る表示装置は、上記態様１から７において、上記宅外操作電源オン情報は、遠隔操作により電源が入ったことを示すものであることとしてもよい。
【００８１】
本発明の態様９に係るテレビジョン受像機は、上記態様１から８の表示装置を備えている。
【００８２】
本発明の態様１０に係る報知方法は、表示装置を用いた報知方法であって、上記表示装置の電源のオンオフを切り替える切替信号を取得する信号取得ステップと、上記切替信号がインターネットを介して取得されたものであり、上記切替信号により当該表示装置の電源をオンにする場合、宅外からの操作によって上記表示装置の電源がオンになった旨の情報である宅外操作電源オン情報を報知する報知ステップと、を含んでいる。
【００８３】
本発明の各態様に係る表示装置は、コンピュータによって実現してもよく、この場合には、コンピュータを上記表示装置が備える各手段として動作させることにより上記表示装置をコンピュータにて実現させる表示装置のプログラム、及びそれを記録したコンピュータ読み取り可能な記録媒体も、本発明の範疇に入る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８５】
本発明は、宅外からの操作によって自装置の電源がオンになった旨を報知する表示装置に利用することができる。
【符号の説明】
【００８６】
１  テレビジョン受像機（表示装置）
２  スマートフォン
３  リモコン
１１  常時通電部
１２  制御通電部
１１１  通信部（信号取得部）
１１２  サブ制御部（制御部）
１１３  リモコン受光部（信号取得部）
１２１  メイン制御部
１２２  表示部（報知部）
１２３  音声出力部（報知部）
【図１】
0006393182.tif 000002
【図２】
0006393182.tif 000003
【図３】
0006393182.tif 000004
【図４】
0006393182.tif 000005
【図５】
0006393182.tif 000006
【図６】
0006393182.tif 000007
【図７】
0006393182.tif 000008
【図８】
0006393182.tif 000009
【図９】
0006393182.tif 000010